(57)【要約】【課題】歯垢染色剤の高温での外観安定性（オリの無さ）に優れ、なおかつ、精度良く歯垢を検出でき、歯間、歯肉、口唇が染色されにくい歯垢検出システム、歯垢検出方法を提供する。【解決手段】（a）紅麹黄色素、（b）非イオン界面活性剤、（c）グリセリンを含有する歯垢染色剤と、該歯垢染色剤を付着させた口腔内の対象物に２５０〜５００ｎｍの範囲内の波長を有する光を照射する発光装置１０を備えた歯垢検出システム。上記構成の歯垢染色剤を口腔内の対象物に付着させた後、該対象物に２５０〜５００ｎｍの範囲内の波長を有する光を照射する歯垢検出方法。【選択図】図１
2007167266.tif 000002
【特許請求の範囲】
【請求項１】
（ａ）紅麹黄色素、（ｂ）非イオン界面活性剤、（ｃ）グリセリンを含有する歯垢染色剤と、
該歯垢染色剤を付着させた口腔内の対象物に２５０〜５００ｎｍの範囲内の波長を有する光を照射する発光装置とが備えられた歯垢検出システム。
【請求項２】
前記発光装置に、２５０〜５００ｎｍの範囲内の波長の光を出射する発光素子が備えられた請求項１に記載の歯垢検出システム。
【請求項３】
前記発光装置に、発光素子又はランプと、２５０〜５００ｎｍの範囲内の波長の光を選択的に透過するフィルターとの両方が備えられた請求項１に記載の歯垢検出システム。
【請求項４】
前記発光装置に、受光部が備えられ、画像表示装置とプローブとがそれぞれ前記発光装置に接続され、前記プローブは、前記発光装置から出射された前記光を前記対象物に向けて照射でき、かつ、前記光が照射された対象物の画像情報を前記受光部に送信できる構成とされ、前記画像表示装置は、前記受光部で受信した前記対象物の画像情報を表示できる構成とされた、請求項１から３のいずれか一項に記載の歯垢検出システム。
【請求項５】
前記プローブの前記対象物側に、前記対象物に照射した光の反射光のうち、５２０ｎｍ以上の波長の光を透過するハイパスフィルターが備えられたことを特徴とする請求項４に記載の歯垢検出システム。
【請求項６】
（ａ）紅麹黄色素、（ｂ）非イオン界面活性剤、（ｃ）グリセリンを含有する歯垢染色剤を付着させた口腔内の対象物に光を照射する光源が備えられた照明器であって、
前記光源は、２５０〜５００ｎｍの範囲内の波長の光を出射する発光素子を有する歯垢検出用照明器。
【請求項７】
(ａ)紅麹黄色素、(ｂ)非イオン界面活性剤、(ｃ)グリセリンを含有する歯垢染色剤を付着させた口腔内の対象物に光を照射する光源が備えられた歯ブラシであって、
前記光源は、２５０〜５００ｎｍの範囲内の波長の光を出射する発光素子を有する歯垢検出用光源付き歯ブラシ。
【請求項８】
(ａ)紅麹黄色素、(ｂ)非イオン界面活性剤、(ｃ)グリセリンを含有する歯垢検出システム用歯垢染色剤。
【請求項９】
(ａ)紅麹黄色素、(ｂ)非イオン界面活性剤、(ｃ)グリセリンを含有する歯垢染色剤を口腔内の対象物に付着させた後、該対象物に、２５０〜５００ｎｍの範囲内の波長を有する光を照射する歯垢検出方法。
【発明の詳細な説明】
【技術分野】
【０００１】
本発明は、高温での外観安定性（オリの無さ）に優れた歯垢染色剤を備え、歯間、歯肉、口唇が染色されにくく、精度良く歯垢を検出できる歯垢検出システム、歯垢検出用照明器、歯垢検出用光源付き歯ブラシ、歯垢検出システム用歯垢染色剤、歯垢検出方法に関する。
【背景技術】
【０００２】
う蝕または歯周疾患は、歯垢中に存在する細菌に起因する感染症として考えられており、歯垢の除去が、口腔の健康のために非常に重要であることが知られている。しかしながら、歯垢は肉眼的に容易に識別しにくく、正確にその付着部位、及びその程度を確認することが困難である。
【０００３】
そこで、付着した歯垢を明らかにするために、歯垢を色素含有の歯垢染色剤で染色し、その存在部位を顕示させるのが一般的である。従来市販されている歯垢染色剤においては、赤色３号（エリスロシン）、赤色１０４号（フロキシン）、赤色１０５号（ローズベンガル）等のタール色素が色素成分として多用されているが、これら歯垢染色剤は歯垢だけでなく、歯肉、口腔粘膜、口唇等も無差別に赤く染色してしまう。その赤色は、容易に除去し難く、通常の歯ブラシによる歯磨き行為では十分に除去できず、歯間部、歯肉、口唇等に残存する為、不快感を伴うという問題があった。
【０００４】
他の用途に用いられる染色剤として、紅麹黄色素がある。
前記紅麹黄色素は、子のう菌類ベニコウジカビの培養液から得られる黄色色素であり、着色を目的に、蒲鉾や魚卵、ゼリー、冷菓などに使用されている。口腔内への使用に関しては、水溶性色素の退色を防止したカチオン系殺菌剤を含有する口腔用組成物（特許文献１）が開示されている。
また、本願出願人は前記紅麹黄色素を含有することにより、歯垢を効果的に染色でき、優れた歯垢の視認性を与え、しかも歯間、歯肉を染色することが少ない、或いは容易にブラッシングによって染色を除去しやすい歯垢染色剤（特許文献２）を報告、開示している。
【０００５】
また、赤色３号（エリスロシン）、赤色２１３号（ローダミンＢ）、黄色２０１号（フルオレセイン）、クロロフィルなどの色素や蛍光剤で歯垢を染色し、特定の光を照射して歯垢を検出する技術（特許文献３、特許文献４、特許文献５、特許文献６、特許文献７）等が開示されている。
さらに、口腔内に光を照射する器具（特許文献８、特許文献９）や、特定の光を照射し、う蝕を検出する方法（特許文献１０）が開示されている。また、特定の光を照射し、光のみで歯垢を検出する技術（特許文献１１、特許文献１２）等が開示されている。
【０００６】
さらに本願出願人は、特許文献１３において、紅麹黄色素を含有する歯垢検出システム用歯垢染色剤と、該歯垢染色剤を付着させた口腔内の対象物に２５０〜５００ｎｍの範囲内の波長を有する光を出射する発光装置が備えられた歯垢検出システムを使用することにより、歯垢の検出精度に優れ、しかも歯間、歯肉など歯垢以外の部位が染色されるのを改善できることを既に報告している。
【０００７】
また、歯垢は歯面に付着した初期の歯垢から歯石化した歯垢まで経時的にその構造や菌種が変化するものであることが知られている。
【特許文献１】特開平１０−１２０５３９号公報
【特許文献２】特開２００５−１７９１８８号公報
【特許文献３】米国特許第３３０９２７４号明細書
【特許文献４】米国特許第３７１１７００号明細書
【特許文献５】米国特許第４２９２６６４号明細書
【特許文献６】米国特許第４２６６５３５号明細書
【特許文献７】米国特許第５９５７６８７号明細書
【特許文献８】特開２００２−８５３５１号公報
【特許文献９】実用新案登録第３０６６５２８号公報
【特許文献１０】特許第１９４４１９８号公報
【特許文献１１】特表２００２−５１５２７６号公報
【特許文献１２】特開２００４−６５９９４号公報
【特許文献１３】特願２００４−２６３８７９号明細書
【発明の開示】
【発明が解決しようとする課題】
【０００８】
しかしながら、特許文献１に記載の技術は歯垢染色を目的とするものではない。また、特許文献２や特許文献１３に記載の技術は、歯垢染色剤を高温保存した際の外観安定性（オリの無さ）に問題があることが判明した。
また、特許文献３〜特許文献７に記載の色素と光を併用する方法では、色素が光によって励起され蛍光を発するだけでなく、色素そのものが歯垢に強く付着する必要がある。しかしながら、クロロフィルやフルオレセインといった現在知られている蛍光色素では歯垢の染色性が十分とは言えないという問題があった。さらに、特定の光のみで歯垢を検出する特許文献８〜特許文献１２に記載の技術では、形成初期の歯垢が検出できないことが問題となっていた。
【０００９】
本発明は、上記事情に鑑みなされたもので、歯垢染色剤の高温での外観安定性（オリの無さ）に優れ、なおかつ、精度良く歯垢を検出でき、歯間、歯肉、口唇が染色されにくい歯垢検出システム、歯垢検出用照明器、歯垢検出用光源付き歯ブラシ、歯垢検出システム用歯垢染色剤、歯垢検出方法を提供することを目的とする。
【課題を解決するための手段】
【００１０】
本発明者は上記目的を達成するために鋭意検討を行った結果、（a）紅麹黄色素、(ｂ)非イオン界面活性剤、(ｃ)グリセリンからなる歯垢染色剤とすることで、高温での外観安定性（オリの無さ）に優れ、口腔内に適用後、２５０〜５００ｎｍの範囲内に波長を有する光を照射すると、市販の歯垢染色剤よりも効果的に歯垢を検出でき、しかも、歯間、歯肉、口唇が染色されるのを改善できることを見出した。
また、（a）紅麹黄色素、(ｂ)非イオン界面活性剤、(ｃ)グリセリンからなる歯垢染色剤を用いた場合、フルオレセインなどの蛍光剤を使用した従来技術に比べて、形成初期の歯垢を含めた歯垢の視認性が著しく向上するにもかかわらず、自然光下ではその歯垢部位が視認されず、染色による不快感を伴わないことを見出した。
【００１１】
即ち、上記目的を達成するために本発明は以下の構成を採用した。
本発明の歯垢検出システムは、（ａ）紅麹黄色素、（ｂ）非イオン界面活性剤、（ｃ）グリセリンを含有する歯垢染色剤と、該歯垢染色剤を付着させた口腔内の対象物に２５０〜５００ｎｍの範囲内の波長を有する光を照射する発光装置とが備えられたことを特徴とする。
上記の歯垢検出システムにおいては、前記発光装置に、２５０〜５００ｎｍの範囲内の波長の光を出射する発光素子が備えられたものとすることができる。
また、上記の歯垢検出システムにおいては、前記発光装置に、発光素子又はランプと、２５０〜５００ｎｍの範囲内の波長の光を選択的に透過するフィルターとの両方が備えられたものとすることができる。
また、上記の歯垢検出システムにおいては、前記発光装置に、受光部が備えられ、画像表示装置とプローブとがそれぞれ前記発光装置に接続され、前記プローブは、前記発光装置から出射された前記光を前記対象物に向けて照射でき、かつ、前記光が照射された対象物の画像情報を前記受光部に送信できる構成とされ、前記画像表示装置は、前記受光部で受信した前記対象物の画像情報を表示できる構成とされたものとすることができる。
また、上記の歯垢検出システムにおいては、前記プローブの前記対象物側に、前記対象物に照射した光の反射光のうち、５２０ｎｍ以上の波長の光を透過するハイパスフィルターが備えられたことを特徴とするものとすることができる。
【００１２】
なお、本文中で用いられる照射とは、歯面、歯垢などの対象物に対して照らされる光、出射とは発光装置および発光素子またはランプなどから発せられる光に対して使用される。また、発光装置から出射される光をフィルターなどを介さずに直接対象物に照射した場合、出射光と照射光の波長は同じとなる。
【００１３】
本発明の歯垢検出用照明器は、（ａ）紅麹黄色素、（ｂ）非イオン界面活性剤、（ｃ）グリセリンを含有する歯垢染色剤を付着させた口腔内の対象物に光を照射する光源が備えられた照明器であって、前記光源は、２５０〜５００ｎｍの範囲内の波長の光を出射する発光素子を有することを特徴とする。
【００１４】
本発明の歯垢検出用光源付き歯ブラシは、(ａ)紅麹黄色素、(ｂ)非イオン界面活性剤、(ｃ)グリセリンを含有する歯垢染色剤を付着させた口腔内の対象物に光を照射する光源が備えられた歯ブラシであって、前記光源は、２５０〜５００ｎｍの範囲内の波長の光を出射する発光素子を有することを特徴とする。
【００１５】
本発明の歯垢検出システム用歯垢染色剤は、(ａ)紅麹黄色素、(ｂ)非イオン界面活性剤、(ｃ)グリセリンを含有することを特徴とする。
【００１６】
本発明の歯垢検出方法は、(ａ)紅麹黄色素、(ｂ)非イオン界面活性剤、(ｃ)グリセリンを含有する歯垢染色剤を口腔内の対象物に付着させた後、該対象物に、２５０〜５００ｎｍの範囲内の波長を有する光を照射することを特徴とする。
【発明の効果】
【００１７】
本発明によれば、歯垢検出システム用歯垢染色剤を高温保存した際の紅麹黄色素由来のオリの発生を防止することができ、精度良く歯垢を検出でき、歯間、歯肉、口唇が染色されにくい歯垢検出システムを実現できる。
また、本発明の歯垢検出システム、歯垢検出用照明器、歯垢検出用光源付き歯ブラシ、及び歯垢検出システム用歯垢染色剤は、本発明の歯垢検出方法の実施に好適に用いることができ、歯垢検出染色剤を高温保存した際に発生する紅麹黄色素由来のオリを抑制でき、歯垢の検出制度に優れ、しかも歯間、歯肉、口唇が染色されるのを防止できる。
【発明を実施するための最良の形態】
【００１８】
次に、図面を用いて本発明の実施の形態を詳細に説明する。なお、本発明は、以下に説明する実施の形態に限定されない。また、図面における各構成部分の縮尺について、図面での表記を容易にするため、構成部分毎に縮尺を変えて記載している。
本発明は、歯垢の有無や付着箇所や付着程度を検査するために用いることができる。
ここで、歯垢は、一般的に、口腔内細菌が、歯面上のタンパク被膜に付着する初期状態を経て、菌体外多糖類を形成後、多種多様な常在菌が、更に、付着・定着して、増加するため、経時的に、その構造・菌種が変化することが知られている。そのため本発明に係わる歯垢とは、時間の経過に制限されず、歯の表面に付着・定着し、歯石状の物も含んだ、細菌や細菌の生産物からなる複合体の総称を指すものとする。すなわち、初期歯垢や歯石を含んだ総称を指すものとする。
【００１９】
本発明の歯垢検出方法は、(ａ)紅麹黄色素、(ｂ)非イオン界面活性剤、(ｃ)グリセリンを含有する歯垢染色剤を口腔内の対象物に付着させた後、該対象物に２５０〜５００ｎｍの範囲内の波長を有する光を照射することにより、歯垢染色剤を励起し、対象物に付着した歯垢のみが蛍光色に染色されたように視認できるようにしている。口腔内の対象物とは、具体的には歯の表面である。
【００２０】
本発明で使用する紅麹黄色素は、子のう菌類ベニコウジカビ、例えばモナスカス・アンカ（Monascus anka）、モナスカス・パーパレウス（Monascus purpureus）等の培養液を乾燥し粉砕したものより、塩酸酸性エタノールで抽出し、中和する等の方法で得られるもので、キサントモナシン類を主成分とする黄色色素である。
下記一般式（１）、（２）に、前記紅麹黄色素の化学構造を示す。
【００２１】
【化１】
2007167266.tif 000003
【００２２】
上述した紅麹黄色素は、市販品を使用し得る。
即ち、本発明で使用可能な紅麹黄色素は、例えば、三栄源エフエフアイ株式会社製の商品名「サンエローＮｏ．１２４４」、株式会社タイショーテクノス製の商品名「ＴＳイエローＭ」、「ＴＳイエローＭＰ」、キリヤ化学株式会社製の商品名「モナスコイエローＳ」、神戸化成株式会社製の商品名「ＫＣイエローＭＳ」、ヤエガキ醗酵技研株式会社製の商品名「ハイムーンイエローＳ」等が挙げられる。
【００２３】
前記紅麹黄色素は、液体もしくは粉末として販売されている。液体の場合、紅麹黄色素８０質量％、エタノール２０質量％の割合で配合されたものが、製品として販売されているものが多く、粉末の場合、液体をスプレードライ法で乾燥させたものが販売されている。また、前記紅麹黄色素の主成分は、キサントモナシン類の混合物であるため、市販品の紅麹黄色素の純色素含有量は正確には測定できない場合が多い。そこで、濃度に代わる規格項目として色価を規定している。色価の測定法は、食品添加物公定書解説書に記載されている通りであるが、紅麹黄色素の場合は、以下の方法を用いる。
【００２４】
色素試料を４６０ｎｍでの吸光度が０．３〜０．７の範囲になるように５０体積％エタノールで希釈し、検液とする。対照として５０体積％エタノールを用い、４６０ｎｍで液層の長さ１ｃｍでの吸光度Ａを測定し、次式により色価を求める。
色価＝１０×Ａ×Ｆ／試料の採取量
（前記式中、Ｆは、測定吸光度が、０．３〜０．７の範囲になるように試料を調製するための希釈倍率を表す）
【００２５】
本発明の歯垢染色剤に用いる市販品の紅麹黄色素の色価は、好ましくは１０〜２００、より好ましくは３０〜１５０である。
本発明の歯垢染色剤中の紅麹黄色素配合量は、市販されている紅麹黄色素製品として例えば、色価６０の市販品の紅麹黄色素を用いる場合は、歯垢検出の点で好ましくは１０〜９０質量％、より好ましくは２０〜７０質量％、特に好ましくは３０〜５０質量％である。色価１２０の市販品の紅麹黄色素を用いる場合は、好ましくは５〜９０質量％、より好ましくは１０〜３５質量％、特に好ましくは１５〜２５質量％である。
色価６０である場合でも、色価１２０である場合でも、紅麹黄色素の配合量が上記範囲未満だと、歯垢の検出精度が悪く、上記範囲を超えると歯垢染色剤を高温保存した際にオリが発生する場合がある。
【００２６】
また前述したように、紅麹黄色素の主成分は、キサントモナシン類の混合物であるため、市販品の紅麹黄色素の主色素含有量は正確には測定できないこともあるが、市販品の紅麹黄色素中のキサントモナシン類の上限濃度が液状で１質量％、粉末状で２質量％程度である事を考慮すると、本発明の歯垢染色剤中の紅麹黄色素の主色素含有量は、好ましくは０．１〜２質量％、より好ましくは０．２〜１．４質量％、特に好ましくは０．３〜１質量％である。配合量が０．１質量％未満だと、歯垢の検出精度が悪く、２質量％を超えると歯垢染色剤を高温保存した際にオリが発生する場合がある。
【００２７】
本発明で用いる非イオン界面活性剤は、例えばショ糖脂肪酸エステル、ソルビタン脂肪酸エステル、グリセリン脂肪酸エステル、デカグリセリン脂肪酸エステル、ポリグリセリン脂肪酸エステル、ポリオキシエチレンソルビタン脂肪酸エステル、ポリオキシエチレンソルビット脂肪酸エステル、ポリオキシエチレングリセリン脂肪酸エステル、ポリエチレングリコール脂肪酸エステル、ポリオキシエチレンアルキルエーテル、ポリオキシエチレンポリオキシプロピレンアルキルエーテル、ポリオキシエチレンアルキルフェニルエーテル、ポリオキシエチレンヒマシ油、ポリオキシエチレン硬化ヒマシ油、ポリオキシエチレンアルキルアミン、ポリオキシエチレン脂肪酸アミド、ショ糖脂肪酸エステル、脂肪酸アルカノールアミド、ポリオキシエチレン-ポリオキシプロプレングリコールブロックポリマーなどがあげられる。オリの防止の点ではエチレンオキサイドの平均付加モル数が１０〜１００であるポリオキシエチレン硬化ひまし油が望ましい。
歯垢染色剤中の非イオン界面活性剤の濃度は、オリの発生と口唇の染色を防止する点で、好ましくは０．０５〜５質量％、より好ましくは０．１〜２質量％である。配合量が０．０５質量％未満だと、オリが発生する場合があり、５質量％を超えると歯垢の染まり具合が不十分な場合がある。
【００２８】
本発明で用いるグリセリンは一般式Ｃ3Ｈ５（ＯＨ）３であらわされる。一般に濃度８４〜８８質量％の日本薬局方、食品添加物公定書、化粧品原料基準適合品等を用いることができ、市販品としては、日本油脂、旭電化工業、鹿島ケミカル製のものなどが用いられる。歯垢検出システム用歯垢染色剤中のグリセリンの濃度はオリと口唇の染色を防止する点で、純分換算で、好ましくは８〜６０質量％、より好ましくは１５〜５０質量％である。
グリセリンの濃度が、純分換算で８質量％未満であると、グリセリンを含有することによるオリと口唇の染色の防止効果が十分に得られない。また、グリセリンの濃度が、純分換算で６０質量％を超えると、歯垢の染まり具合が不十分な場合がある。
【００２９】
本発明の歯垢染色剤は、液体、液状、ゲル等の形態に調製し、使用する事ができる。この場合、例えば、歯垢染色剤を溶液で用いる場合は、綿棒塗布法、刷毛塗布法、直滴下法および洗口法などの方法を採用し得る。
【００３０】
本発明の歯垢染色剤は、その形態に応じ、前述した成分に加えて、適宜、任意の成分を配合する事ができる。例えば、粘結剤、粘稠剤、界面活性剤、甘味剤、防腐剤、香料、染色促進剤、ｐＨ調製剤、水等の溶媒、その他成分を配合することができる。
以下に任意の成分の具体例を示すが、本発明の歯垢染色剤に配合可能な成分はそれらに制限されるものではない。
【００３１】
粘結剤としては、例えば、カラギーナン、アルギン酸ナトリウム、キサンタンガム、プルラン、ゼラチン、カルボキシメチルセルロース、カルボキシメチルセルロースナトリウム、メチルセルロース、ヒドロキシエチルセルロース、アラビアガム、グアーガム、ローカストビーンガム、ポリアクリル酸ナトリウム、ポリビニルアルコール、ポリビニルピロリドン、モンモリロナイト、カオリン、水和シリカ、ケイ酸アルミニウム、ケイ酸マグネシウム、ヘクトライト等の中から適宜選択できる。
【００３２】
粘稠剤としては、例えば、プロピレングリコール、ブチレングリコール、ソルビット、ポリエチレングリコール、キシリトール等の中から適宜選択できる。
【００３３】
界面活性剤としては、ラウリル硫酸ナトリウム、ミリスチル硫酸ナトリウム、Ｎ−ラウロイルザルコシネート、ラウロイルメチルタウリン、アシルアミノ酸塩、ドデシルベンゼンスルホン酸ナトリウム、α−スルホ脂肪酸アルキルエステル・ナトリウム、アルキルリン酸エステル塩等のアニオン性界面活性剤、アルキルジメチルアミノ酢酸ベタイン、脂肪酸アミドプロピルジメチルアミノ酢酸ベタインなどの酢酸ベタイン型両性界面活性剤、Ｎ−脂肪酸アシル−Ｎ−カルボキシメチル−Ｎ−ヒドロキシエチルエチレンジアミン塩などのイミダゾリン型両性界面活性剤、Ｎ−脂肪酸アシル−Ｌ−アルギネート塩等のアミノ酸型界面活性剤などを適宜選択できる。
【００３４】
甘味剤としては、例えば、サッカリンナトリウム、ステビオサイド、ネオヘスペリジルジヒドロカルコン、グリチルリチン、ペリラルチン、ｐ-メトキシシンナミックアルデヒド、ソーマチン等の中から適宜選択できる。
【００３５】
防腐剤としては、例えば、安息香酸ナトリウム、パラオキシ安息香酸エステル、メチルパラベン、エチルパラベン、ブチルパラベン、エチレンジアミン四酢酸塩等の中から適宜選択できる。
【００３６】
香料としては、例えば、ペパーミント・スペアミント等の精油、レモン・ストロベリー等のフルーツ系のエッセンス、1-メントール、カルボン、オイゲノール、アネトール、リナロール、リモネン、オシメン、シネオール、ｎ−デシルアルコール、シトロネロール、ワニリン、α−テルビネオール、サリチル酸メチル、チモール、ローズマリー油、セージ油、シソ油、レモン油、オレンジ油等の香料素材から適宜選択できる。
【００３７】
染色促進剤としては、例えば、炭酸カルシウム、リン酸水素カルシウム・２水塩およびリン酸水素カルシウム・無水塩、ピロリン酸カルシウム、リン酸ナトリウム、不溶性メタリン酸ナトリウム、第３リン酸マグネシウム、炭酸マグネシウム、非晶質シリカ、結晶性シリカ、沈降性無定形シリカ、ゼオライト、アルミノシリケート、酸化アルミニウム、水酸化アルミニウム、レジン、デンプン・デキストランなどの多糖類やその分解生成物であるデキストリン、還元澱粉分解物などを必要に応じて選択できる。
【００３８】
本発明の歯垢染色剤は、使用する紅麹黄色素の染色性に悪影響を及ぼさず、口腔内で安全な範囲内のｐＨに調節し得るが、使用することができるｐＨ調整剤としては、例えば、塩酸、リン酸、クエン酸、リンゴ酸、酢酸およびこれらの塩、水酸化ナトリウム、水酸化カリウム、ケイ酸ナトリウム、ケイ酸マグネシウム、炭酸水素ナトリウム、酸化カルシウム、酸化マグネシウム、ピロリン酸四ナトリウム、リン酸水素２ナトリウム１２水和物、リン酸２水素ナトリウム２水和物などから適宜選択できる。
【００３９】
さらにその他の有効成分として、フッ化ナトリウム、モノフルオロリン酸ナトリウム、フッ化スズなどのフッ化物、クロロギキシジン、トリクロサン、塩化セチルピリジニウム、イソプロピルメチルフェノールなどの殺菌／抗菌剤、縮合リン酸塩、エタンヒドロキシジホスフォネートなどの歯石予防剤、トラネキサム酸、グリチルリチン２カリウム塩などの抗炎症剤、デキストラナーゼ、ムタナーゼなどの酵素剤、塩化ナトリウム、乳酸アルミニウムなどの収斂剤、硝酸カリウム、塩化ストロンチウムなどの知覚過敏抑制剤、クエン酸亜鉛、グルコン酸などのプラーク抑制剤などを、薬剤学的に許容できる範囲で使用することができる。
【００４０】
また、本発明の視認性を阻害しない範囲で、赤色１０４号（フロキシン）、赤色１０５号（ローズベンガル）、赤色１０６号（アシッドレッド）、黄色５号（サンセットイエロー）、カーサマス（ベニバナ）黄色素、パプリカ（カプシカム）色素、紅麹赤色素、マリーゴールド色素、スピルリナ青色素、リボフラビン（ビタミンＢ２）、サフラン抽出物、Ｎ−メチルアントラニル酸メチル、クミン抽出物、ビタミンＡ等の色素を、０．００１〜０．５質量％で、配合することができる。
さらに溶剤として、エタノール、水などを配合することができる。
【００４１】
なお、これら任意成分の配合量は、本発明の効果を損なわない範囲の常用量とすることができる。
【００４２】
本発明の歯垢染色剤を付着させた口腔内の対象物に照射する光は、２５０〜５００ｎｍの範囲内に波長を有するものが用いられる。前記範囲内の波長を有する光を出射可能であれば、光源は種類を問わない。例えば、２５０〜５００ｎｍの範囲内の波長を有する光を出射する発光ダイオード（ＬＥＤ）などの発光素子を用いることができる。
また、キセノンランプ、キセノンフラッシュランプ、メタルハライドランプ、ホローカソードランプ等を用いることもできる。該ランプから出射される光が、広範囲の波長を有する場合、２５０〜５００ｎｍの範囲内の波長の光を選択的に透過させるバンドパスフィルターを用いることにより、あるいは、ハイパスフィルターとローパスフィルターを組み合わせたものを用いることにより、２５０〜５００ｎｍの範囲内の波長の光を選択的に透過させることができる。容易性の点でバンドパスフィルターを用いるのが好ましい。
また、発光素子から出射される光の波長が、２５０〜５００ｎｍの範囲から外れる場合は、この発光素子と前記バンドパスフィルターを組み合わせて用いることが好ましい。
前記ローパスフィルターとしては、例えば、５００ｎｍ以下の波長の光を透過するものが用いられる。前記ハイパスフィルターとしては、例えば、２５０ｎｍ以上の波長の光を透過するものが用いられる。
【００４３】
口腔内の対象物に照射する光の波長は、歯垢検出の点で、さらに好ましくは、３３０ｎｍ〜４７０ｎｍの範囲であり、よりさらに好ましくは、３８０〜４２０ｎｍ、特に好ましくは３９５ｎｍ〜４１０ｎｍの範囲である。２５０ｎｍより小さい場合と、５００ｎｍより大きい場合は、歯垢が検出できない場合がある。
前記光源としては、携帯性、簡易性の点で、発光ダイオードがより好ましい。また、眼や皮膚等に対する安全性を考慮すると、実用上、前記対象物に照射する光は、可視光であることがより好ましい。
【００４４】
図１に、本発明の歯垢検出方法の実施に好適に用いられる歯垢検出システムの実施形態の一例を示した。
本実施形態の歯垢検出システムは、前記構成の本発明の歯垢染色剤と、該歯垢染色剤を付着させた口腔内の対象物４０に、２５０〜５００ｎｍの範囲内の波長を有する光を照射する発光装置１０と、発光装置１０にそれぞれ接続されたパーソナルコンピュータ等の画像表示装置２０と、プローブ（ハンドピース）３０と、プローブ３０の前方（対象物側）に配置されたハイパスフィルター４５から概略構成されている。
【００４５】
発光装置１０は、発光部１６と受光部１７を有し、該発光部１６には、光源１２と、２５０ｎｍ〜５００ｎｍの範囲内の波長を有する光を選択的に透過するバンドパスフィルター１５とが備えられている。
光源１２としては、前記発光ダイオード（ＬＥＤ）などの発光素子又は前記キセノンランプ等のランプが用いられる。
バンドパスフィルター１５は、２５０〜５００ｎｍ、より好ましくは３３０ｎｍ〜４１０ｎｍの範囲内の波長の光を選択的に透過するものであることが好ましい。  
【００４６】
この発光部１６では、光源１２から出射された光が、バンドパスフィルター１５によって、２５０ｎｍ〜５００ｎｍ、より好ましくは３３０ｎｍ〜４１０ｎｍの範囲内の波長の光Ｌのみ透過するようになっている。
なお、光源１２に備えられる発光素子が、２５０〜５００ｎｍの範囲内の波長の光のみ出射するものである場合は、バンドパスフィルター１５は、発光装置１０に備えられていなくてもよい。
【００４７】
プローブ３０は、光ファイバなどの光導波路を有する第１のケーブル３５を介して、発光装置１０の発光部１６に接続されている。また、プローブ３０は、光ファイバなどの光導波路を有する第２のケーブル３６を介して、発光装置１０の受光部１７に接続されている。
第１のケーブル３５は、発光装置１０の発光部１６から出射された光Ｌを導光して、プローブ３０に伝搬できるようになっている。プローブ３０は、第１のケーブル３５から伝搬された光Ｌを、対象物４０に向けて照射できるようになっている。また、このプローブ３０は、光Ｌが照射された対象物４０の画像情報を、第２のケーブル３６を介して、発光装置１０の受光部１７に送信できるようになっている。
【００４８】
ハイパスフィルター４５は、プローブ３０から対象物４０に照射した光Ｌの反射光Ｒのうち、５２０ｎｍ以上の波長の反射光を透過するように構成されたものである。前記受光部１７に送信される画像情報には、ハイパスフィルター４５を透過した反射光Ｒが含まれる。
対象物４０に歯垢が存在する場合、歯垢に付着した歯垢染色剤が前記光Ｌによって励起され、蛍光を発し、ハイパスフィルター４５を透過した反射光Ｒが受光部１７に送信される。
画像表示装置２０は、発光装置の受光部１７で受信した対象物４０の画像情報を表示できるように構成されている。
【００４９】
本実施形態の歯垢検出システムを用いて歯垢を検出するには、前記構成の本発明の歯垢染色剤を、先に述べた方法により、口腔内の対象物４０に付着させた後、プローブ３０を対象物４０に近づけて、該対象物４０を画像表示装置２０でモニタしながら、発光装置１０の発光部１６から２５０ｎｍ〜５００ｎｍの範囲内の波長を有する光Ｌを出射し、対象物４０に照射する。例えば、光源１２が長波長の光（白色の光）を出射するランプで、バンドパスフィルター１５が２９０ｎｍ〜４５０ｎｍの光を選択的に透過するものである場合、発光部１６から出射される光Ｌは青〜紫色を帯びた光になる。対象物４０に歯垢が存在する場合は、歯垢のみが蛍光色（例えば、青み以外の色の蛍光色、黄色を帯びた蛍光色）に染色される。歯垢以外の部位（歯の表面で歯垢がない部分、歯間、歯肉、口唇等）は染色されないので、画像表示装置２０に映し出された対象物４０は、歯垢が光って見え、歯垢を容易に視認できる。このように、本実施形態の歯垢検出システムは、歯垢の検出精度に優れ、特に、形成初期の歯垢も精度良く検出できる。また、自然光下ではその歯垢部位が視認されないため、染色による不快感の問題を改善できる。
ハイパスフィルター４５が設けられている場合、蛍光以外の反射光は透過しない（５２０ｎｍ未満の短波長の光をカットする）ので、５２０ｎｍ以上の波長の反射光のみを受光部１７で受光することができ、ノイズ光は除去される。これにより、画像表示装置２０に写しだされた対象物４０は、歯垢が存在する部分のみ光って見え、歯垢の検出感度を高めることができる。
【００５０】
図２に、本発明の歯垢検出方法の実施に好適に用いられる歯垢検出用光源付き歯ブラシの実施形態の一例を示した。
図２の歯垢検出用光源付き歯ブラシは、グリップ部５０と、ブラシが植えられたヘッド部５５と、グリップ部５０とヘッド部５５を接続する柄部５８を有する。前記グリップ部５０の内部には、２５０〜５００ｎｍの範囲内の波長の光を出射する発光素子を有する光源５２と、該光源５２に電力を供給する電池を収納する電池ボックス５３が設けられ、グリップ部５０の外部には、光源５２への電力供給をオン、オフするスイッチ５４が設けられている。ヘッド部５５のブラシ側には、前記発光素子から出射された光を、本発明の歯垢染色剤を付着させた口腔内の対象物に出射する発光口５６が、形成されている。前記発光口５６と光源５２間には、光ファイバガイド等からなる光導波路５９が形成されている。
このような構成の歯垢検出用光源付き歯ブラシは、スイッチ５４をオンにすることにより、光源５２の発光素子から、２５０〜５００ｎｍの範囲内の波長の光が出射され、さらに、この光は前記光導波路５９を通って、発光口５６から外部に出射される。
【００５１】
図３に、本発明の歯垢検出方法の実施に好適に用いられる歯垢検出用光源付き歯ブラシの実施形態のその他の例を示した。
図３の歯垢検出用光源付き歯ブラシが、図２の歯垢検出用光源付き歯ブラシと特に異なるところは、光源５２が、発光口５６近傍のヘッド部５５の内部に設けられ、この光源５２と電池ボックス５３とが配線６０で接続されている点である。
【００５２】
図２や図３に示した歯垢検出用光源付き歯ブラシを用いて歯垢を検出するには、例えば、前記本発明の歯垢染色剤を、先に述べた方法により、口腔内の対象物に付着させた後、鏡等で対象物を観察しながら、ヘッド部５５を、前記対象物に近づけてスイッチ５４をオンし、対象物に、前記２５０〜５００ｎｍの範囲内の波長の光を照射する。
前記対象物に歯垢が存在している場合は、歯垢のみが蛍光色に染色され、歯垢以外の部位は染色されないので、鏡に映し出された対象物は、歯垢が光って見え、歯垢を容易に視認できる。このように、本発明の歯垢検出用光源付き歯ブラシを用いることにより、歯垢の検出精度を高めることができる。
【００５３】
図４は、本発明の歯垢検出方法の実施に好適に用いられる歯垢検出用照明器の実施形態の一例を示した図である。
図４（ａ）の歯垢検出用照明器は、グリップ部７０と、直線状のスティック部７８を有するペンライト型のものである。前記スティック部７８の先端には、本発明の歯垢染色剤を付着させた口腔内の対象物に２５０〜５００ｎｍの範囲内の波長の光を照射する発光素子を有する光源７２が設けられ、グリップ７０の内部には、光源７２に電力を供給する電池を収納する電池ボックス７３が設けられている。前記グリップ部７０の外部には、光源７２への電力供給をオン、オフするスイッチ７４が設けられ、光源７２と電池ボックス７３は、配線８０により接続されている。
このような構成の歯垢検出用照明器は、スイッチ７４をオンにすることにより、光源７２の発光素子から２５０〜５００ｎｍの範囲内の波長の光が出射されるようになっている。
また、図４（ｂ）は、スティック部７８’および配線８０’の先端が湾曲したペンライト型のものである。図４（ｂ）は、湾曲角度が３０度の実施形態を示すが、通常、湾曲角度が１０〜５０度程度のものが好ましい。
【００５４】
更に、本発明の歯垢検出用照明器には、必要に応じて、図４（ｃ）に示すような、ミラースティック部７９と、ミラースティック部７９の先端に取り付けられたミラー部７５と、ミラースティック部の後端に取り付けられたキャップ部７７とを有するミラーを付属させることができる。このような構造を有するミラーは、キャップ部７７の後端部７７ａを、例えば、図４（ａ）もしくは図４（ｂ）のステッィク部７８もしくは７８’の先端部に、固定式（一体型）又は着脱式に、はめ込むことにより取り付けることができる。
あるいは、図４（ｄ）に示すように、ミラースティック部７９と、ミラースティック部の先端に取り付けられたミラー部７５とを有するミラー単体を、本発明の歯垢検出用照明器と併用して使用することもできる。
【００５５】
図５は、本発明の歯垢検出方法の実施に好適に用いられる歯垢検出用照明器の実施形態のその他の例を示した図である。
図５に示す歯垢検出用照明器が、図４に示す歯垢検出用照明器と、特に異なるところは、スティック部７８の先端部分に拡径部７８ａが設けられ、該拡径部７８ａの内部に、電池ボックス７３が設けられ、スティック部７８の先端の光源７２と電池ボックス７３が配線８０により接続されている点である。
【００５６】
図４や図５に示した歯垢検出用照明器を用いて歯垢を検出するには、例えば、前記構成の本発明の歯垢染色剤を、先に述べた方法により、口腔内の対象物に付着させた後、鏡等で対象物を観察しながら、スティック部７８の先端を、前記対象物に近づけてスイッチ７４をオンし、対象物に前記２５０〜５００ｎｍの範囲内の波長の光を照射する。
前記対象物に歯垢が存在する場合は、歯垢のみが蛍光色に染色され、歯垢以外の部位は染色されないので、鏡に映し出された対象物は、歯垢が光って見え、歯垢を容易に視認できる。このように、本発明の歯垢検出用照明器を用いることにより、歯垢の検出精度を高めることができる。
【００５７】
前記実施形態の歯垢検出用光源付き歯ブラシや歯垢検出用照明器において、その性能、安全性を損なわない範囲で、必要に応じて、複数の発光素子からなる光源（例えば、緑色光・赤色光・白色光等の複数の発光ダイオードが設けられていてもよく、例えば、白色光と２５０〜５００ｎｍの範囲内の波長を有する光を自由に切替えることができる構成を有する、もしくは、同質の発光ダイオードが束ねられた構成を有する）を使用することもできる。
口腔内の対象物に照射される光の強度は、任意であるが、口腔粘膜や眼等に弊害を及ぼさないレベルが好ましい。
また、歯垢染色剤付着部位の視認性向上のために、視認性を妨害する光（ノイズ）を除外する、あるいは、歯垢染色剤付着部位から放出される蛍光をより明確化する性能を有するフィルターを使用することもでき、その材質、色、厚さ等に特に制限はない。例えば、オレンジや黄色等に着色された市販のセロハン、フィルム、プラスチックレンズ・板、または、ガラスレンズ・板等を用いることができる。また、励起された蛍光波長を透過させるハイパスフィルター等を用いることができる。さらに、オレンジや黄色等に着色されたフィルターを、鏡に貼付して、使用することもできる。これらのように、歯垢染色剤付着部位を、フィルターを介して観察することにより、歯垢の視認性が向上する。
【００５８】
前記歯垢検出システムに用いられる前記本発明の歯垢染色剤は、歯垢検出システム用歯垢染色剤として単独で販売可能である。また、この歯垢検出システム用歯垢染色剤は前記歯垢検出用光源付き歯ブラシや歯垢検出用照明器を用いて歯垢を検出するときに用いる歯垢染色剤として用いることができる。
【００５９】
以下、実施例を示して本発明を具体的に説明するが、本発明は下記の実施例に制限されるものではない。なお下記例において、％は質量百分率を示す。
表１、表２および下記に示す実施例１〜実施例１１、比較例１〜比較例８の組成の歯垢染色剤をそれぞれ調製した。そして、実施例１〜実施例１１、比較例１〜比較例４、比較例７〜比較例８については、得られた歯垢染色剤と歯垢検出システム用発光器（発光装置）とを備えた歯垢検出システムとした。
【００６０】
【表１】
2007167266.tif 000004
【００６１】
【表２】
2007167266.tif 000005
【００６２】
（実施例１）
＜歯垢染色剤＞
サンエローＮｏ．１２４４(＊１)                               ５０％
ポリオキシエチレン（６０）硬化ひまし油（＊２）                  １％
８５％グリセリン（＊３）           （純分換算で２５．５％）  ３０％
水                                                            残部
（＊１)三栄源エフ・エフ・アイ（株）製  紅麹黄色素（色価６３．１）
（＊２）日光ケミカルズ株式会社製  ＨＣＯ−６０
（＊３）ライオン株式会社製  食品添加物グリセリン
＜歯垢検出システム用発光器＞
発光部：砲弾型発光ダイオードＬ４０５−０６Ｖ（ＥＰＩＴＥＸ  ＩＮＣ．製）
光の波長：４０５ｎｍ
【００６３】
（実施例２）
＜歯垢染色剤＞
ＴＳイエローＭ（＊４）                                        ４０％
ポリオキシエチレン（２０）ヤシ油脂肪酸ソルビタン（＊５）       １％
８４％グリセリン（＊６）           （純分換算で３３．６％）  ４０％
水                                                            残部
（＊４）株式会社タイショーテクノス製  紅麹黄色素（色価６５．５）
（＊５）日本エマルジョン株式会社製  EMALEX ET-2020
（＊６）新日本理化株式会社製  日局グリセリン
＜歯垢検出システム用発光器＞
発光部：ＱＬＦｓｙｓｔｅｍ（Inspektor Research Systems製）
光の波長：３７０±４０ｎｍ（キセノンアークランプとバンドパスフィルターを使用）
【００６４】
（実施例３）
＜歯垢染色剤＞
ハイムーンイエローS（＊７）                                    ２０％
ポリオキシエチレン（６０）硬化ひまし油（＊８）             ０．０５％
８８％グリセリン（＊９）          （純分換算で１０．５８％）  １２％
水                                                              残部
（＊７）ヤエガキ醗酵技研製  （色価６０．５）
（＊８）日光ケミカルズ株式会社製  ＨＣO−６０
（＊９）日本油脂製  日本薬局方グリセリンＰＧ
＜歯垢検出システム用発光器＞
発光部：ＶＬ-６ＬＣ（VILBER LOURMAT製）
光の波長：２５４ｎｍ
【００６５】
（実施例４）
＜歯垢染色剤＞
モナスコイエローS（＊１０）                                    ３０％
ポリオキシエチレン（６０）硬化ひまし油（＊１１）            ０．０５％
８８％グリセリン（＊１２）      （純分換算として１０．５８％）  １０％
水                                                              残部
（＊１０）キリヤ化学株式会社製  （色価５８．９）
（＊１１）日光ケミカルズ株式会社製  ＨＣ０−６０
（＊１２）日本油脂製  日本薬局方グリセリンＰＧ
＜歯垢検出システム用発光器＞
発光部：砲弾型発光ダイオードＬ４０５−０６Ｖ（ＥＰＩＴＥＸ  ＩＮＣ．製）
光の波長：４０５ｎｍ
【００６６】
（実施例５）
＜歯垢染色剤＞
KCイエローＭS（＊１３）                                        ６０％
ポリオキシエチレン（２５）セチルエーテル（＊１４）           ０．３％  
８８％グリセリン（＊１５）       （純分換算として１７．６％）  ２０％
水                                                              残部
（＊１３）神戸化成株式会社製  （色価６３．２）
（＊１４）日本エマルジョン株式会社製  EMALEX 125
（＊１５）日本油脂製  日本薬局方グリセリンＰＧ
＜歯垢検出システム用発光器＞
発光部：ＱＬＦｓｙｓｔｅｍ（Inspektor Research Systems製）
光の波長：３７０±４０ｎｍ（キセノンアークランプとバンドパスフィルターを使用）
【００６７】
（実施例６）
＜歯垢染色剤＞
TSイエローM  （＊１６）                                        １５％
ポリオキシエチレン（２０）ヤシ油脂肪酸ソルビタン（＊１７）        １％
８５％グリセリン（＊１８）           （純分換算として３４％）  ４０％
水                                                              残部
（＊１６）株式会社タイショーテクノス製  紅麹黄色素（色価６５．５）
（＊１７）日本エマルジョン株式会社製  EMALEX ET-2020
（＊１８）ライオン株式会社製  食品添加物グリセリン
＜歯垢検出システム用発光器＞
発光部：砲弾型発光ダイオードＬ４０５−０６Ｖ（ＥＰＩＴＥＸ  ＩＮＣ．製）
光の波長：４０５ｎｍ
【００６８】
（実施例7）
＜歯垢染色剤＞
サンエローＮｏ．１２４４（＊１９）                            ２０％
ポリオキシエチレン（６０）硬化ひまし油（＊２０）                 １％
８８％グリセリン（＊２１）           （純分換算として４４％）  ５０％
サッカリンナトリウム                                         １．５％
キシリトール                                                    １％
塩化セチルピリジニウム                                        ０．１％
水                                                              残部
（＊１９）三栄源エフ・エフ・アイ（株）製  紅麹黄色素（色価６３．１）
（＊２０）日光ケミカルズ株式会社製  ＨＣＯ−６０
（＊２１）日本油脂製  日本薬局方グリセリンＰＧ
＜歯垢検出システム用発光器＞
発光部：ＱＬＦｓｙｓｔｅｍ（Inspektor Research Systems製）
光の波長：３７０±４０ｎｍ（キセノンアークランプとバンドパスフィルターを使用）
【００６９】
（実施例８）
＜歯垢染色剤＞
ＴＳイエローM（＊２２）                                        ７０％
ポリオキシエチレン（２５）セチルエーテル（＊２３）               １％
８５％グリセリン（＊２４）       （純分換算として２５．５％）  ３０％
サッカリンナトリウム                                             １％
イソプロピルメチルフェノール                               ０．０５％
エタノール                                                      ２％
水                                                              残部
（＊２２）株式会社タイショーテクノス製  紅麹黄色素（色価６５．５）
（＊２３）日本エマルジョン株式会社製  EMALEX 125
（＊２４）ライオン株式会社製  食品添加物グリセリン
＜歯垢検出システム用発光器＞
発光部：ＱＬＦｓｙｓｔｅｍ（Inspektor Research Systems製）
光の波長：３７０±４０ｎｍ（キセノンアークランプとバンドパスフィルターを使用）
【００７０】
（実施例９）
＜歯垢染色剤＞
ハイムーンイエローＳ（＊２５）                                ３０％
ポリオキシエチレン（２０）ヤシ油脂肪酸ソルビタン（＊２６）        １％
８８％グリセリン（＊２７）       （純分換算として１７．６％）  ２０％
フッ化ナトリウム                                            ０．２％
エタノール                                                      １％
水                                                              残部
（＊２５）ヤエガキ醗酵技研製  （色価６０．５）
（＊２６）日本エマルジョン株式会社製  EMALEX ET-2020
（＊２７）日本油脂製  日本薬局方グリセリンＰＧ
＜歯垢検出システム用発光器＞
発光部：ＶＬ-６ＬＣ（VILBER LOURMAT製）
光の波長：２５４ｎｍ
【００７１】
（実施例１０）
＜歯垢染色剤＞
モナスコスイエロー（＊２８）                                  ４０％
ポリオキシエチレン（６０）硬化ひまし油（＊２９）             ０．５％
８５％グリセリン（＊３０）           （純分換算として１７％）  ２０％
サッカリン                                                      １％
キシリトール                                                    １％
リン酸水素２ナトリウム１２水和物                            ０．４％
リン酸２水素ナトリウム２水和物                             ０．０５％
カルボキシメチルセルロース                                      ３％
水                                                              残部
（＊２８）キリヤ化学株式会社製  （色価５８．９）
（＊２９）日光ケミカルズ株式会社製  ＨＣＯ−６０
（＊３０）ライオン株式会社製  食品添加物グリセリン
＜歯垢検出システム用発光器＞
発光部：砲弾型発光ダイオードＬ４０５−０６Ｖ（ＥＰＩＴＥＸ  ＩＮＣ．製）
光の波長：４０５ｎｍ
【００７２】
（実施例１１）
＜歯垢染色剤＞
ＫＣイエローＳ             （＊３１）                          ２５％
ポリオキシエチレン（２５）セチルエーテル（＊３２）           ０．５％
８５％グリセリン（＊３３）         （純分換算として８．５％）  １０％
キシリトール                                                    ３％
モノフルオロリン酸ナトリウム                                 ０．１％
カルボキシメチルセルロース                                      ３％
香料                                                        ０．５％
水                                                              残部
（＊３１）神戸化成株式会社製  （色価６３．２）
（＊３２）日本エマルジョン株式会社製のEMALEX 125
（＊３３）ライオン株式会社製  食品添加物グリセリン
＜歯垢検出システム用発光器＞
発光部：ＱＬＦsystem（Inspektor Research Systems製）
光の波長：３７０±４０ｎｍ（キセノンアークランプとバンドパスフィルターを使用）
【００７３】
（比較例１）
＜歯垢染色剤＞
サンエローＮｏ．１２４４（＊３４）                             ５０％
ポリオキシエチレン（２５）セチルエーテル（＊３５）               ２％  
８４％グリセリン（＊３６）        （純分換算として２５．２％）  ３０％
水                                                              残部
（＊３４）三栄源エフ・エフ・アイ（株）製  紅麹黄色素（色価６３．１）
（＊３５）日本エマルジョン株式会社製  EMALEX 125
（＊３６）新日本理化株式会社製  日局グリセリン
＜歯垢検出システム用発光器＞
発光部：砲弾型発光ダイオードSDL-10N3SPG（SANDER ELECTRONIC CO.,LTD製）
光の波長：５２５ｎｍ
【００７４】
（比較例２）
＜歯垢染色剤＞
サンエローＮｏ．１２４４（＊３７）                            ５０％
グリセリン（８５％）（＊３８）    （純分換算として２５．５％）  ３０％
水                                                              残部
（＊３７）三栄源エフ・エフ・アイ（株）製  紅麹黄色素（色価６３．１）
（＊３８）ライオン株式会社製  食品添加物グリセリン
＜歯垢検出システム用発光器＞
発光部：砲弾型発光ダイオードＬ４０５−０６Ｖ（ＥＰＩＴＥＸ  ＩＮＣ．製）
光の波長：４０５ｎｍ
【００７５】
（比較例３）
＜歯垢染色剤＞
サンエローＮｏ．１２４４（＊３９）                            ５０％
ポリオキシエチレン（２５）セチルエーテル（＊４０）               ２％
水                                                              残部
（＊３９）三栄源エフ・エフ・アイ（株）製  紅麹黄色素（色価６３．１）
（＊４０）日本エマルジョン株式会社製  ＥＭＡＬＥＸ １２５
＜歯垢検出システム用発光器＞
発光部：砲弾型発光ダイオードＬ４０５−０６Ｖ（ＥＰＩＴＥＸ  ＩＮＣ．製）
光の波長：４０５ｎｍ
【００７６】
（比較例４）
＜歯垢染色剤＞
サンエローＮｏ．１２４４（＊４１）                            ５０％
水                                                              残部
（＊４１）三栄源エフ・エフ・アイ（株）製の紅麹黄色素（色価６３．１）
＜歯垢検出システム用発光器＞
発光部：砲弾型発光ダイオードＬ４０５−０６Ｖ（ＥＰＩＴＥＸ  ＩＮＣ．製）
光の波長：４０５ｎｍ
【００７７】
（比較例５）
＜歯垢染色剤＞
サンエローＮｏ．１２４４（＊４２）                             ５０％
ポリオキシエチレン（２５）セチルエーテル（＊４３）               ２％
８５％グリセリン（＊４４）    （純分換算として２５．５％）      ３０％
水                                                              残部
（＊４２）三栄源エフ・エフ・アイ（株）製  紅麹黄色素（色価６３．１）
（＊４３）日本エマルジョン株式会社製  EMALEX 125
（＊４４）ライオン株式会社製  食品添加物グリセリン
【００７８】
（比較例６）
＜歯垢染色剤＞
赤色３号（＊４５）                                             ３％
ポリオキシエチレン（２５）セチルエーテル（＊４６）             ２％  
８４％グリセリン（＊４７）    （純分換算として２５．２％）    ３０％
水                                                            残部
（＊４５）和光純薬工業株式会社製  エリトロシンＢ
（＊４６）日本エマルジョン株式会社製  EMALEX 125
（＊４７）新日本理化株式会社製  日局グリセリン  
【００７９】
（比較例７）
＜歯垢染色剤＞
サンエローＮｏ．１２４４（＊４８）                          ５０％
ラウリル硫酸ナトリウム                                         １％
８５％グリセリン（＊４９）        （純分換算として１７％）    ２０％
水                                                            残部
（＊４８）三栄源エフ・エフ・アイ（株）製  紅麹黄色素（色価６３．１）
（＊４９）ライオン株式会社製  食品添加物グリセリン
＜歯垢検出システム用発光器＞
発光部：砲弾型発光ダイオードＬ４０５−０６Ｖ（ＥＰＩＴＥＸ  ＩＮＣ．製）
光の波長：４０５ｎｍ
【００８０】
（比較例８）
＜歯垢染色剤＞
銅クロロフィリンナトリウム（＊５０）                           １％
ポリオキシエチレン（６０）硬化ひまし油（＊５１）               １％
８５％グリセリン（＊５２）      （純分換算として２５．５％）  ３０％
水                                                            残部
（＊５０）和光純薬工業株式会社製（クロロフィルの中心元素をマグネシウムから銅に置換した水溶性色素）
（＊５１）日光ケミカルズ株式会社製  ＨＣO−６０
（＊５２）ライオン株式会社製  食品添加物グリセリン
＜歯垢検出システム用発光器＞
発光部：砲弾型発光ダイオードＬ４０５−０６Ｖ（ＥＰＩＴＥＸ  ＩＮＣ．製）
光の波長：４０５ｎｍ
【００８１】
実施例１〜実施例１１、比較例１〜比較例８の組成の歯垢染色剤について、以下に示すように、高温での外観安定性と歯面、歯間、歯肉の染色性のなさ及び歯垢の視認性の良さを評価した。
【００８２】
１．高温での外観安定性評価
実施例１〜実施例６、比較例１〜比較例８の組成の歯垢染色剤を８０ｍＬの透明ＰＥＴ容器に入れ、５０℃恒温槽に一ヶ月保存した後の外観安定性（オリの有無）を下記評価基準に従って目視判定した。
・外観安定性の評価基準
○：オリがまったくない
△：オリが少しある
×：オリがかなりある
その結果を表１及び表２に示す。
【００８３】
２．歯面、歯間、歯肉の染色性のなさ及び歯垢の視認性の良さの評価
歯垢蓄積量が、染色剤の付着量の程度に影響しないように、１０名の被験者（Ａ〜Ｊ）について、各歯垢染色剤使用前の２４時間、歯磨きを中止した（形成初期の歯垢）。その後、実施例１〜実施例６、比較例１〜比較例８の歯垢染色剤を、歯面、歯間、歯肉および口唇に綿棒で塗布し、軽く洗口後、歯垢検出システム用発光器の発光部から光を出射し、歯垢の視認性および歯間、歯肉、口唇の染色性を目視判定して平均値を求めた。なお、歯垢検出システム用発光器を備えない比較例５および比較例６では、自然光下にて観察を行い、下記評価基準に従って目視判定して平均値を求めた。
・歯間、歯肉、口唇の染色性のなさの評価基準
５点：染色しない
４点：染色がほとんどない
３点：染色がややある
２点：染色がやや多い
１点：染色が多い
・歯垢の視認性の良さの評価基準
５点：視認性がかなり良い
４点：視認性が良い
３点：視認性がやや良い
２点：視認がやや良くない
１点：視認できない
その結果を表１及び表２に示す。
【００８４】
表１および表２に示した結果から、紅麹黄色素、非イオン界面活性剤、グリセリンを含有する歯垢染色剤である実施例１〜実施例１１では、外観安定性の評価が全て○となった。これに対し、非イオン界面活性剤を含まない比較例２、非イオン界面活性剤およびグリセリンを含まない比較例４では、外観安定性の評価が×となった。よって、紅麹黄色素、非イオン界面活性剤、グリセリンを含有する歯垢染色剤とすることで、紅麹黄色素由来のオリが改善されることが確認できた。
また、グリセリンを含まない比較例３、非イオン界面活性剤を含まず、アニオン界面活性剤を含む比較例７、紅麹黄色素に代えて銅クロロフィリンナトリウムを用いた比較例８では、△となった。よって、紅麹黄色素、非イオン界面活性剤、グリセリンを含有する歯垢染色剤とすることで、外観安定性（オリの無さ）に優れた歯垢染色剤が得られることが確認できた。
【００８５】
また、表１および表２より、歯垢染色剤を歯面、歯間、歯肉、口唇に塗布し、洗口後、２５０〜５００ｎｍの範囲内に波長を有する光を照射する実施例１〜実施例１１の歯垢検出方法を用いると、５００ｎｍを越える波長を有する光を照射した比較例１や、光を使用しない比較例５と比べて、歯垢の視認性が著しく高いことが確認できた。
また、紅麹黄色素に代えて赤色３号色素（歯垢染色剤用色素として広く使用されている）を用いた比較例６や、銅クロロフィリンナトリウムを用いた比較例８では、実施例１〜実施例１１と比較して、歯間、歯肉、口唇の染色が多く、実施例１〜実施例１１では、歯間、歯肉、口唇の染色が防止され、歯垢を選択的に染色できることが確認できた。
【図面の簡単な説明】
【００８６】
【図１】本発明の歯垢検出システムの実施形態の一例を示す概略構成図である。
【図２】本発明の歯垢検出用光源付き歯ブラシの実施形態の一例を示す概略構成図である。
【図３】本発明の歯垢検出用光源付き歯ブラシの実施形態のその他の例を示す概略構成図である。
【図４】図４（ａ）は、本発明の歯垢検出用照明器の実施形態の一例を示す概略構成図である。図４（ｂ）は、本発明の歯垢検出用照明器の別の実施形態の一例を示す概略構成図である。図４（ｃ）は、本発明の歯垢検出用照明器に、固定式又は着脱式で付属可能なミラーの実施形態の一例を示す概略構成図である。図４（ｄ）は、本発明の歯垢検出用照明器と併用して使用可能なミラー単体の実施形態の一例を示す概略構成図である。
【図５】本発明の歯垢検出用照明器の実施形態のその他の例を示す概略構成図である。
【符号の説明】
【００８７】
１０・・・発光装置、１２・・・光源、１５・・・バンドパスフィルター、１６・・・発光部、１７・・・受光部、２０・・・画像表示装置、３０・・・プローブ、３５・・・第１のケーブル、３６・・・第２のケーブル、４０・・・口腔内の対象物、４５・・・ハイパスフィルター、５０，７０・・・グリップ部、５２，７２・・・光源、５３，７３・・・電池ボックス、５４，７４・・・スイッチ、５５・・・ヘッド部、５６・・・発光口、５８・・・柄部、５９・・・光導波路、６０，８０、８０’・・・配線、７５・・・ミラー部、７７・・・キャップ部、７７ａ・・・後端部、７８、７８’・・・スティック部、７８ａ・・・拡径部、７９・・・ミラースティック部、Ｌ・・・光、Ｒ・・・反射光
【図１】
2007167266.tif 000006
【図２】
2007167266.tif 000007
【図３】
2007167266.tif 000008
【図４】
2007167266.tif 000009
【図５】
2007167266.tif 000010